(57)【要約】【課題】パーテーションを必要とせず、上方向への衝撃を緩衝する梱包トレイを提供する。【解決手段】個装トレイ１１は、シートモールド成形にて製造されたプラスチック製のトレイである。この個装トレイ１１の本体収納部２０の内壁面の対向する２面に、カメラ本体４の上方向への移動を防ぐ突起部２０ａ，２０ｂが設けられている。また、付属品収納部２３の内壁面の対向する２面にも、付属品であるＡＣアダプタ２６の上方向への移動を防ぐ突起部２３ａ，２３ｂが設けられている。さらに、この本体収納部２０及び付属品収納部２３の上面の外周には、側壁が形成されており、取扱説明書９を収納する冊子収納部２４が設けられている。【選択図】　　　　図４
2004075129.tif 000002
【特許請求の範囲】
【請求項１】
デジタルカメラ等の小型精密機器本体及びその付属品を収納して個装箱等に梱包される梱包トレイにおいて、
前記小型精密機器本体を収納する本体収納部と、
前記付属品を収納する複数の付属品収納部と、
前記複数の付属品収納部のうち少なくとも重量物を収納する付属品収納部と、前記本体収納部とのそれぞれの内壁面の少なくとも対向する２面の上部に前記小型精密機器本体及び前記付属品と係合するアンダーカット部とを成形したことを特徴とする梱包トレイ。
【請求項２】
デジタルカメラ等の小型精密機器本体及びその付属品を収納して個装箱等に梱包される梱包トレイにおいて、
前記梱包トレイの上面または下面の外周に、少なくとも対向する２面の側壁を成形して取扱説明書等を収納する冊子収納部を設けたことを特徴とする梱包トレイ。
【発明の詳細な説明】
【０００１】
【発明の属する技術分野】
本発明は、梱包トレイに関し、更に詳しくはデジタルカメラ等の小型精密機器を収納して、個装箱等に梱包される梱包トレイに関するものである。
【０００２】
【従来の技術】
デジタルカメラ等の小型精密機器を梱包する個装箱内に使用される緩衝材として、シートモールド成形やパルプモールド成形等の方法により製造された梱包トレイが用いられることが多い。図１に示すように梱包トレイ３に図示せぬビニール袋に包まれた、カメラ本体４、レンズキャップ５、アルカリ電池６、ワイヤーハーネス７、及びショルダーベルト８等が梱包トレイ３の上方向から収納される。また、取扱説明書９が段ボール等で作られたパーテーション２を介して梱包トレイ３の上に設置され、段ボール等で作られた個装箱１に収納されることが知られている。また、図１とは異なり、パーテーション２と個装箱１が一体となっているものもある。
【０００３】
【発明が解決しようとする課題】
しかしながら、上記した梱包トレイでは、梱包トレイの底面から上方向への衝撃力の緩衝には有効ではなく、個装箱の上面が開くタイプの個装箱を使用した場合に、デジタルカメラ等の小型精密機器とその付属品が上部に飛び出す恐れがある。また、取り扱い説明書等の同梱物があることにより、区画分けをするために個装箱と一体または単体で設けられるパーテーションが必要であるためにコストが高くなるという欠点があった。
【０００４】
本発明は、上記問題を解決するものであり、梱包トレイの底面から上方向への衝撃の緩衝に有効であり、パーテーションを必要としない梱包トレイを低コストで提供することを目的とする。
【０００５】
【課題を解決するための手段】
上記目的を達成するために、本発明の梱包トレイは、小型精密機器本体を収納する本体収納部と、付属品を収納する複数の付属品収納部とを備え、複数の付属品収納部のうち少なくとも重量物を収納する付属品収納部と、本体収納部とのそれぞれの内壁面の少なくとも対向する２面の上部に小型精密機器本体及び付属品と係合するアンダーカット部とを成形したことを特徴とするものである。
【０００６】
また、本発明の梱包トレイは、上面または下面の外周に、少なくとも対向する２面の側壁を成形して取扱説明書等を収納する冊子収納部を設けたことを特徴とするものである。
【０００７】
【発明の実施の形態】
図２は、本発明の梱包トレイを示す外観斜視図である。梱包トレイ１１はプラスチック製であり、シートモールド成形により成形されている。梱包トレイ１１には、デジタルカメラ本体４を収納する本体収納部２０と付属品を収納する付属品収納部２１，２２，２３が成形されている。本体収納部２０の内壁面には、デジタルカメラ本体４が上方向へ移動しないようにアンダーカット部２０ａ，２０ｂが対向する２面に成形されている。さらに、付属品収納部２１，２２，２３の内壁面には、付属品が上方向へ移動しないようにアンダーカット部２１ａと２１ｂ，２２ａと２２ｂ，及び２３ａと２３ｂがそれぞれの対向する２面に成形されている。
【０００８】
また、梱包トレイ１１には、本体収納部２０と付属品収納部２１，２２，２３の上部の外周に側壁２５が成形され、冊子収納部２４が設けられている。この冊子収納部２４には、取扱説明書等が収納される。
【０００９】
図３は、本発明の梱包トレイ１１を使用した梱包形態を示す外観斜視図である。図示せぬビニール袋で包まれたカメラ本体４が、本体収納部２０に上方向から嵌め込まれる。この際、本体収納部２０の内壁面に設けられたアンダーカット部２０ａ，２０ｂは、梱包トレイ１１の本体と一体に成形され、柔軟性を有する薄いプラスチックであるため、カメラ本体４を軽く押し込むことで本体収納部２０に嵌め込むことが可能である。レンズキャップ５、アルカリ電池６、ワイヤーハーネス７、及びショルダーベルト８も同様にして、付属品収納部２１，２２，２３に嵌め込まれる。さらに、梱包トレイ１１の冊子収納部２４に取扱説明書９が収納される。
【００１０】
付属品収納部２３には、ワイヤーハーネス７及びショルダーベルト８が収納されるが、これらはカメラ本体４等に比べて重量が軽く、衝撃にも強いのでアンダーカット部２３ａ，２３ｂは設けなくても良い。この場合でも、上部に取扱説明書９が収納されるので、上方向への移動は防止できる。
【００１１】
梱包トレイ１１は、上記の収納物が全て収納された後、段ボールで形成された個装箱１２に、収納される。また、梱包トレイ１１の高さ及び側壁２５の間隔は、個装箱１２の内寸法と略同寸法にしてあるので、余分なガタ付きが生じ難い。
【００１２】
図４は、梱包トレイ１１にカメラ本体４とその付属品が収納された状態を示す断面概略図である。カメラ本体４は、本体収納部２０の内壁面に設けられたアンダーカット部２０ａ，２０ｂにより上方向の移動が防止され、梱包トレイ１１の底面から上方向への衝撃が緩衝される。また、付属品は付属品収納部２３に収納され、ＡＣアダプタ２６のような角張った重量物は、付属品収納部２３の内壁面に成形されたアンダーカット部２３ａ，２３ｂにより、カメラ本体４と同様に、上方向への移動が防止される。また、ワイヤーハーネス７，ショルダーベルト８等の重量が軽くて不定形なものは、同じ付属品収納部２３のアンダーカット部２３ａ，２３ｂが成形されていない場所に収納される。また、冊子収納部２４には取扱説明書９が収納されており、カメラ本体４及びその付属品との区分けを必要としないため、パーテーションを設けなくて済む。
【００１３】
なお、本実施形態においては、カメラ本体と付属品を梱包トレイの上方向から嵌め込むように収納部を成形したが、梱包トレイを２段構成にして、例えば、カメラ本体を上方向から嵌め込み、従属品を下方向から嵌め込むようにしても良い。
【００１４】
また、梱包トレイの上部の外周に成形した側壁は４面に限らず、対向する２面だけ側壁を成形しても良い。さらに、この側壁を梱包トレイの下部の外周に成形することにより冊子収納部を梱包トレイの下部に設けても良い。
【００１５】
【発明の効果】
以上のように、本発明の梱包トレイによれば、収納部にアンダーカット部を成形したので梱包トレイの底面から上方向への衝撃力の緩衝に有効であり、上面が開くタイプの個装箱を使用した場合にも、デジタルカメラ等の小型精密機器とその他の収納物が上部に飛び出す可能性が少ない。また、梱包トレイに取扱説明書等を収納する冊子収納部を設けたので、デジタルカメラ等の小型精密機器を個装、梱包する際に、本体及びその付属品と、取扱説明書等の同梱物との区画分けを必要としないので、パーテーションを省略でき低コスト化を図れる。
【００１６】
また、梱包トレイの高さ及び側壁の間隔は、個装箱の内寸法と略同寸法にしたので、個装箱内での梱包トレイは余分なガタ付きが少なくなり、梱包トレイにより個装箱の圧縮強度が強化される。
【図面の簡単な説明】
【図１】従来技術の梱包トレイを用いた梱包形態の外観斜視図である。
【図２】本発明の梱包トレイの外観斜視図である。
【図３】本発明の梱包トレイを用いた梱包形態の外観斜視図である。
【図４】本発明の梱包トレイの断面概略図である。
【符号の説明】
１１　梱包トレイ
１２　個装箱
２０　本体収納部
２０ａ，２０ｂ，２１ａ，２１ｂ，２２ａ，２２ｂ，２３ａ，２３ｂ　アンダーカット部
２１，２２，２３　付属品収納部
２４　冊子収納部
２５　側壁
２６　ＡＣアダプタ
【図１】
2004075129.tif 000003
【図２】
2004075129.tif 000004
【図３】
2004075129.tif 000005
【図４】
2004075129.tif 000006